(57)【要約】【課題】照明機能を兼ね備える複数の投影装置を連動させて調光する場合に、投影装置としての動作への影響を低減することが可能な投影装置を提供する。【解決手段】上述の実施形態に係る投影装置は、発光させる光による所定の投影面への投影と、発光させる光による照明光の投射とを切り替え可能に動作する投影手段と、複数の投影装置を連動させて発光させる光の光量を調整するための第１の調光指示を、通信装置から受信する通信手段と、受信した第１の調光指示に応じて、投影手段による発光させる光の光量を制御する制御手段と、を有する。ここで、制御手段は、第１の調光指示を受信したときに、投影手段の動作に基づいて、第１の調光指示に応じて発光させる光の光量を調整するか否かを制御する。【選択図】図８
2019124872.tif 000002
【特許請求の範囲】
【請求項１】
発光させる光による所定の投影面への投影と、発光させる光による照明光の投射とを切り替え可能に動作する投影手段と、
複数の投影装置を連動させて前記発光させる光の光量を調整するための第１の調光指示を、通信装置から受信する通信手段と、
受信した前記第１の調光指示に応じて、前記投影手段による前記発光させる光の光量を制御する制御手段と、を有し、
前記制御手段は、前記第１の調光指示を受信したときに、前記投影手段の動作に基づいて、前記第１の調光指示に応じて前記発光させる光の光量を調整するか否かを制御する、ことを特徴とする投影装置。
【請求項２】
前記制御手段は、前記第１の調光指示を受信したときに、前記投影手段が前記所定の投影面への投影を行っている場合、前記第１の調光指示に応じて前記発光させる光の光量を調整しない、ことを特徴とする請求項１に記載の投影装置。
【請求項３】
前記制御手段は、前記通信手段が更に、前記投影装置のみを対象とする前記発光させる光の光量を調整するための第２の調光指示を受信した場合、前記投影手段が前記所定の投影面への投影を行っている場合であっても、前記第２の調光指示に応じて前記発光させる光の光量を調整する、ことを特徴とする請求項２に記載の投影装置。
【請求項４】
前記制御手段は、前記第１の調光指示を受信したときに、前記投影手段が前記所定の投影面への投影を行っている場合であっても、前記投影手段が所定の形式の映像コンテンツを投影していない場合は、前記第１の調光指示に応じて前記発光させる光の光量を調整する、ことを特徴とする請求項２に記載の投影装置。
【請求項５】
前記通信手段は、更に、前記所定の投影面に投影するための映像コンテンツを所定の外部装置から受信するように構成され、
前記制御手段は、前記第１の調光指示を受信したときに、前記投影手段が前記所定の投影面への投影を行っている場合であっても、前記通信手段が前記所定の外部装置から映像コンテンツを受信していない場合は、前記第１の調光指示に応じて前記発光させる光の光量を調整する、ことを特徴とする請求項２に記載の投影装置。
【請求項６】
前記通信手段は、更に、前記所定の投影面に投影するための映像コンテンツを取得するために所定の外部装置との接続を確立可能であり、
前記制御手段は、前記第１の調光指示を受信したときに、前記所定の投影面への投影を行っている場合であっても、前記通信手段が前記所定の外部装置と接続を確立していない場合は、前記第１の調光指示に応じて前記発光させる光の光量を調整する、ことを特徴とする請求項２に記載の投影装置。
【請求項７】
前記第１の調光指示を受信した場合には、常に前記第１の調光指示に応じて前記発光させる光の光量を調整するように設定する設定手段を更に有し、
前記制御手段は、前記設定手段が有効である場合には、前記第１の調光指示を受信したときに、常に、前記第１の調光指示に応じて前記発光させる光の光量を調整する、ことを特徴とする請求項２から５のいずれか１項に記載の投影装置。
【請求項８】
前記第１の調光指示は、前記発光させる光の光量に対するユーザ操作で設定される調整値を含み、
前記制御手段は、前記調整値に基づいて、前記発光させる光の光量を調整する、ことを特徴とする請求項１から７のいずれか１項に記載の投影装置。
【請求項９】
前記投影手段は、前記発光させる光を拡散させずに前記所定の投影面への投影を行い、前記発光させる光を拡散させて前記照明光の投射を行う、ことを特徴とする請求項１から８のいずれか１項に記載の投影装置。
【請求項１０】
前記制御手段は、前記第１の調光指示を受信した後に、前記投影手段が前記所定の投影面への投影を行う場合、前記通信手段に、前記投影手段の動作を示す通知を他の投影装置に送信させ、
前記投影手段の動作を示す通知は、前記他の投影装置と前記所定の投影面との位置関係に応じて前記他の投影装置の照明光の光量を調整するために送信される、ことを特徴とする請求項１から９のいずれか１項に記載の投影装置。
【請求項１１】
前記投影手段の動作を示す通知は、前記他の投影装置と前記所定の投影面との距離が近いほど、前記他の投影装置の照明光を暗く調整するために送信される、ことを特徴とする請求項１０に記載の投影装置。
【請求項１２】
前記制御手段は、前記他の投影装置と前記所定の投影面との位置関係に応じて前記他の投影装置の照明光の光量を調整するための値を算出し、
前記通信手段は、前記値を含む前記投影手段の動作を示す通知を、前記他の投影装置に送信する、ことを特徴とする請求項１０又は１１に記載の投影装置。
【請求項１３】
前記他の投影装置と前記所定の投影面とを撮像する撮像手段を更に有し、
前記撮像の結果を用いて前記他の投影装置と前記所定の投影面との位置関係を求め、前記値を算出する、ことを特徴とする請求項１２に記載の投影装置。
【請求項１４】
発光させる光による所定の投影面への投影と、発光させる光による照明光の投射とを切り替え可能に動作する投影手段を有する複数の投影装置と通信する通信装置であって、
前記複数の投影装置のそれぞれと通信する通信手段と、
前記複数の投影装置を連動させて前記発光させる光の光量を調整するための調光指示を、前記複数の投影装置に送信するように前記通信手段を制御する制御手段と、を有し、
前記制御手段は、前記複数の投影装置のそれぞれの前記投影手段の動作に基づいて、前記複数の投影装置のそれぞれに前記調光指示を送信するか否かを制御する、ことを特徴とする通信装置。
【請求項１５】
前記複数の投影装置に対して設定する前記発光させる光の光量を取得する取得手段を更に有し、
前記制御手段は、前記取得手段で取得した前記発光させる光の光量を含む前記調光指示を、前記投影手段が前記照明光の投射を行う投影装置に送信するように前記通信手段を制御する、ことを特徴とする請求項１４に記載の通信装置。
【請求項１６】
発光させる光による所定の投影面への投影と、発光させる光による照明光の投射とを切り替え可能に動作する投影手段を有する投影装置の制御方法であって、
通信手段が、複数の投影装置を連動させて前記発光させる光の光量を調整するための第１の調光指示を、通信装置から受信する通信工程と、
制御手段が、受信した前記第１の調光指示に応じて、前記投影手段による前記発光させる光の光量を制御する制御工程と、を有し、
前記制御工程では、前記第１の調光指示を受信したときに、前記投影手段の動作に基づいて、前記第１の調光指示に応じて前記発光させる光の光量を調整するか否かを制御する、ことを特徴とする投影装置の制御方法。
【請求項１７】
発光させる光による所定の投影面への投影と、発光させる光による照明光の投射とを切り替え可能に動作する投影手段を有する複数の投影装置と通信する通信装置の制御方法であって、前記通信装置は、前記複数の投影装置のそれぞれと通信する通信手段を有し、
前記制御方法は、
前記複数の投影装置を連動させて前記発光させる光の光量を調整するための調光指示を、前記複数の投影装置に送信するように前記通信手段を制御する制御工程、を有し、
前記制御工程では、前記複数の投影装置のそれぞれの前記投影手段の動作に基づいて、前記複数の投影装置のそれぞれに前記調光指示を送信するか否かを制御する、ことを特徴とする通信装置の制御方法。
【請求項１８】
コンピュータを、請求項１から１３のいずれか１項に記載の投影装置の各手段として機能させるためのプログラム。
【請求項１９】
コンピュータを、請求項１４又は１５に記載の通信装置の各手段として機能させるためのプログラム。
【発明の詳細な説明】
【技術分野】
【０００１】
本発明は、照明機能を備える投影装置、投影装置を操作する通信装置、それらの制御方法ならびにプログラムに関する。
【背景技術】
【０００２】
照明機能と投影機能を兼ね備えた装置が知られている（例えば特許文献１）。特許文献１に開示された投影装置は、１つの光源から照射される光の拡散または集光を切り替えることで、照明装置と投影装置の両機能を実現する。また、複数台の照明装置の照度を連動させる技術が知られている（特許文献２）。特許文献２には、各照明装置を個別に制御することなく、複数台の照明装置を連動させて調光制御等を一括して行なうことが可能な技術が開示されている。
【先行技術文献】
【特許文献】
【０００３】
【特許文献１】特開２０１３−１２５１６６号公報
【特許文献２】特開２００４−６３２１８号公報
【発明の概要】
【発明が解決しようとする課題】
【０００４】
しかしながら、照明機能を兼ね備えた投影装置に対し、特許文献２に開示されている各装置の調光の連動制御を適用した場合、ユーザに対し不都合が生じる可能性がある。例えば、照明機能として動作中の装置と投影機能として動作中の装置が混在する場合に、単純な操作で一括調光制御によって明るさ調整（すなわち光源の出力制御）を行ないたい場合がある。このような場合、全ての装置に対して一括調光制御を行うと、照明として動作中の装置の明るさは意図通り調整されるものの、同時に投影機能として動作中の装置の明るさも調整される。すなわち、投影機能として動作中の装置で映像コンテンツ等を鑑賞している場合、投影映像の明るさが連動して不意に制御されてしまうことになり、映像コンテンツ鑑賞の妨げとなる場合がある。
【０００５】
本発明は、上記課題に鑑みてなされ、その目的は、照明機能を兼ね備える複数の投影装置を連動させて調光する場合に、投影装置としての動作への影響を低減することが可能な技術を実現することである。
【課題を解決するための手段】
【０００６】
この課題を解決するため、例えば本発明の投影装置は以下の構成を備える。すなわち、発光させる光による所定の投影面への投影と、発光させる光による照明光の投射とを切り替え可能に動作する投影手段と、複数の投影装置を連動させて前記発光させる光の光量を調整するための第１の調光指示を、通信装置から受信する通信手段と、受信した前記第１の調光指示に応じて、前記投影手段による前記発光させる光の光量を制御する制御手段と、を有し、前記制御手段は、前記第１の調光指示を受信したときに、前記投影手段の動作に基づいて、前記第１の調光指示に応じて前記発光させる光の光量を調整するか否かを制御する、ことを特徴とする。
【発明の効果】
【０００７】
本発明によれば、照明機能を兼ね備える複数の投影装置を連動させて調光する場合に、投影装置としての動作への影響を低減することが可能になる。
【図面の簡単な説明】
【０００８】
【図１】実施形態１に係る投影システムの一例を説明するための図。
【図２】実施形態１に係るスマートフォンの機能構成例を示すブロック図。
【図３】実施形態１に係るプロジェクタの機能構成例を示すブロック図。
【図４】実施形態１に係るプロジェクタの状態遷移を示す図。
【図５】実施形態１に係るスマートフォンで照明と投影のモード変更を行うＵＩの一例を示す図。
【図６】実施形態１に係るスマートフォンで調光制御を行うＵＩの一例を示す図。
【図７】実施形態１に係る調光制御コマンドのデータ構造を説明するための図。
【図８】実施形態１に係るスマートフォンとプロジェクタの一連の動作を示すフローチャート。
【図９】変形例１−１に係るプロジェクタの一連の動作を示すフローチャート。
【図１０】変形例１−２に係るプロジェクタの一連の動作を示すフローチャート。
【図１１】変形例１−３に係るプロジェクタの強制連動設定のためのＵＩを示す図。
【図１２】変形例１−３に係るプロジェクタの一連の動作を示すフローチャート。
【図１３Ａ】、
【図１３Ｂ】実施形態２に係るプロジェクタの一連の動作を示すフローチャート。
【図１４】実施形態２に係る調光率の設定を説明するための図。
【図１５】実施形態２に係る投影面とプロジェクタの位置関係を設定するＵＩの一例を示す図。
【図１６】実施形態２に係る投影面とプロジェクタの位置関係を設定するＵＩの一例を示す図。
【図１７】実施形態２に係る距離に対する調光率の設定を説明するための図。
【図１８】実施形態２に係る他のプロジェクタの一連の動作を示すフローチャート。
【図１９Ａ】、
【図１９Ｂ】変形例２−１に係るプロジェクタの一連の動作を示すフローチャート。
【図２０】変形例２−１に係る調光率の設定を説明するための図。
【図２１】変形例２−１に係る投影面とプロジェクタの位置関係を設定するＵＩの一例を示す図。
【発明を実施するための形態】
【０００９】
（実施形態１）
以下、本発明の例示的な実施形態について、図面を参照して詳細に説明する。なお、以下では投影装置の一例として、照明機能を備えたプロジェクタを用いる例を説明する。しかし、本実施形態は、プロジェクタに限らず、照明機能と投影機能とを備えることが可能な他の機器にも適用可能である。例えば照明機能と投影機能とを備えた医療機器、デジタルサイネージ機器や車載用システムの機器などが含まれてよい。また、以下では、通信装置の一例として、調光を遠隔操作するためのスマートフォンを用いる例を説明する。しかし、本実施形態は、スマートフォンに限らず、調光を遠隔操作することが可能な他の機器にも適用可能である。例えば、これらの機器には、調光制御を遠隔操作するデジタルカメラ、ゲーム機、タブレット端末、パーソナルコンピュータ、眼鏡型や時計型の端末等が含まれてよい。
【００１０】
まず、図１を参照して、本実施形態に係る投影システムを説明する。本実施形態に係る投影システムは、例えば、スマートフォン１００と複数台のプロジェクタ２００とから構成される。プロジェクタ２００ａ、プロジェクタ２００ｂ、プロジェクタ２００ｃ（プロジェクタを単に総称する場合にはプロジェクタ２００ともいう）は、有線又は無線によるネットワークで接続されている。各プロジェクタは、照明モード（詳細は後述）と投影モード（詳細は後述）の２つの動作モードを備え、各プロジェクタ又はスマートフォン１００の操作によって適宜切り替えられる。各プロジェクタは、照明モードで動作する際には室内を照明し、投影モードで動作する際にはスクリーンなどに画像や映像コンテンツを投影することが可能である。
【００１１】
スマートフォン１００は、無線通信を介して各プロジェクタ２００との接続確立処理を実行しており、スマートフォン１００からプロジェクタ２００の各種機能を遠隔制御することができる。プロジェクタ２００には、それぞれのプロジェクタを識別するための固有の識別子（ＩＤ）が事前に設定されており、ユーザが認識する際や制御対象を指定する際に用いられる。
【００１２】
図１に示す例では、投影システムが、３台のプロジェクタと１台のスマートフォンから構成される例を示しているが、プロジェクタの台数は必ずしも３台には限定されない。
【００１３】
（スマートフォンの構成）
図２は、本実施形態の通信装置の一例として（スマートフォン）の機能構成例を示している。なお、図２に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、同じハードウェアが主体として実現されうる。
【００１４】
制御部１０１は、例えば、ＣＰＵ（或いはＭＰＵ）を含み、ＲＯＭ１０４に記憶されたプログラムをＲＡＭ１０３に展開、実行してスマートフォン１００の各ブロックを制御したり、各ブロック間でのデータ転送を制御したりする。
【００１５】
通信部１０２は、所定の通信方式に対応した通信用回路やアンテナを含む。通信部１０２は、ローカルネットワーク、イントラネット、インターネット等を介して映像データ、画像データ、映像ファイル等の各種の情報データのファイル、その他の命令信号を他の装置と送受信する。通信部１０２では、例えば、無線ＬＡＮに準拠した通信方式を用いることができる。
【００１６】
ＲＡＭ１０３は、揮発性の記憶媒体を含み、後述するＲＯＭ１０４に格納されているプログラムの展開用途や表示画像のフレームメモリ、その他一時情報の保持等に使用される。ＲＯＭ１０４は、例えば半導体メモリ等で構成される不揮発性の記憶媒体を含み、プログラムデータ、画像データ、ユーザ設定データ等の各種の情報データを保存する。
【００１７】
操作部１０５は、ボタン、スイッチやタッチパネル等の操作部材を含み、ユーザからの電源ＯＮ指示、スタンバイモード遷移指示、操作用メニュー画面等に対する操作指示等を受け付ける。表示部１０６は、例えば、液晶ディスプレイ、有機ＥＬディスプレイ、電子ペーパー等の表示デバイスを含み、映像データや操作用メニュー画面等を表示する。また表示部１０６はタッチセンサを内蔵しており、表示するメニュー画面に対するユーザの操作の情報を制御部１０１に通知することができる。
【００１８】
表示制御部１０７は、制御部１０１によってＲＯＭ１０４等から読み出された画像データ等を表示させるために表示部１０６を駆動する。撮像部１０８は、撮影光学系（レンズ）や、ＣＭＯＳ等によって構成される撮像素子（センサ）などで構成され、撮像した光を電気信号に変換することが可能である。
【００１９】
バッテリ１０９は、後述する電源部１１０へ電力供給を行なう。電源部１１０は、スマートフォン１００内の各ブロックへの電力供給を制御する。電源入力部１１１は、外部からの交流電力を受け入れ、所定の電圧に整流して電源部１１０に供給する。
【００２０】
上述の構成により、スマートフォン１００は、基本的な動作として例えば以下のような動作を行う。制御部１０１は、操作部１０５を介してユーザから電源ＯＮの指示を受けると、電源部１１０に各ブロックに電力を供給するように指示を出し、各ブロックを待機状態にする。各ブロックに対して電力が供給されると、制御部１０１は、ＲＯＭ１０４に格納されているプログラムを読み出して、ＲＡＭ１０３へ展開する。制御部１０１は、展開されたプログラムを実行することにより、各ブロックに対し初期化処理を行ない、更に表示部１０６へ定常状態における待ち受け画像データを表示させる。
【００２１】
また、ＲＡＭ１０３に格納されるプログラムにはＯＳ（Ｏｐｅｒａｔｉｎｇ  Ｓｙｓｔｅｍ）や、当該ＯＳ上で動作する所定のアプリケーションプログラムが含まれている。制御部１０１は、インターネット上のサーバに格納される、ＯＳ上で動作するアプリケーションプログラムを、通信部１０２を介して取得し、動作させることができる。制御部１０１は、アプリケーションプログラムに基づき、通信部１０２を介して外部装置と通信することもできる。スマートフォン１００は、操作部１０５を介してユーザから電源ＯＦＦの指示を受けると、制御部１０１の指示に基づきユーザ設定データ等をＲＯＭ１０４へ格納し、各ブロックへ終了処理を行なう。
【００２２】
（プロジェクタの構成）
次に、図３を参照して、本実施形態に係るプロジェクタ２００の機能構成例について説明する。なお、図３に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、同じハードウェアが主体として実現されうる。
【００２３】
制御部２０１は、例えば、ＣＰＵ（或いはＭＰＵ）を含み、ＲＯＭ２１５に記憶されたプログラムをＲＡＭ２３２に展開、実行してプロジェクタ２００の各ブロックを制御する。制御部２０１はその他各ブロックへバス接続されており、各ブロックへの制御指示やデータのやり取り等のアクセスを行なうことが可能である。
【００２４】
操作部２０２は、ボタンやダイヤル、タッチパネル等の操作部材を含み、ユーザからの電源ＯＮ指示やスタンバイモード遷移指示等を受け付けて、制御部２０１に通知する。電源部２０３は、プロジェクタ２００の各ブロックへの電源供給を制御する電源部である。
【００２５】
液晶部２０４は、例えば１枚の液晶パネル或いは３枚の液晶パネル等で構成され、液晶駆動部２０５による駆動に応じて液晶パネル上に画像を形成する。液晶駆動部２０５は、画像処理部２１６から入力された画像信号に基づいて、液晶部２０４の液晶パネルを駆動し、液晶部２０４に画像を形成させる。光源２０６は、液晶部２０４に光を供給する光源である。
【００２６】
投影光学系２０７は、光源２０６から発光された光を液晶部２０４に供給することにより得られた光学像を不図示のスクリーンに投影する。投影光学系は、ズームレンズやフォーカスレンズ等の複数のレンズを含み、これらのレンズ位置を制御することにより投影する画像に対するズーム倍率の調整や焦点調整を行うことができる。投影光学系２０７は、光路上に配置された不図示の光拡散部を含む。光拡散部は、光路上に配置されており、光学系制御部２０９の指示に基づき、光を拡散させないで透過させることと、光を拡散させて透過させることが可能である。前述した投影モードとは、光を拡散させないで透過させることであり、前述した照明モードとは、光を拡散させて透過させることである。光拡散部としては、例えば、印加電圧により光の透過と拡散を制御可能なＰＤＬＣ（Ｐｏｌｙｍｅｒ  Ｄｉｓｐｅｒｓｅｄ  Ｌｉｑｕｉｄ  Ｃｒｉｓｔａｌ）やリバースＰＤＬＣを用いることができる。或いは、投影光学系２０７は、光路への挿入と退避が可能な拡散板等の可動式の光学部材を備えてもよい。
【００２７】
光源制御部２０８は、制御部２０１の指示に応じて光源２０６の光量等を後述する調光率により調整することにより、投影における明るさ（後述する照明モード時は照明の明るさ）を調整することができる。調光率は、光源の光量等を調整するための調整パラメータであり、操作部２０２或いはスマートフォンを介してユーザが設定することができる。光学系制御部２０９は、制御部２０１の指示に応じて、投影光学系２０７のズームレンズやフォーカスレンズ等の動作を制御するほか、上述の光拡散部を制御する。
【００２８】
通信部２１４は、例えば、有線ＬＡＮや無線ＬＡＮ、Ｂｌｕｅｔｏｏｔｈ（登録商標）などの所定の通信規格に準拠した通信方式に従った通信を行うことができる。通信部２１４が無線ＬＡＮによる通信を行う場合、アンテナ、ＲＦ部、ベースバンド部などを備え、サポートする無線ＬＡＮ規格に適合したパケットを送受信することができる。そして、通信部２１４は、イントラネットやインターネットなどのネットワークを介して、映像や画像データ、映像ファイル等の各種データのファイル、その他の命令信号を、他のプロジェクタ、スマートフォン、サーバなどの外部装置との間で送受信可能である。例えば、プロジェクタ２００は、通信部２１４を介して、スマートフォン１００から転送される画像データや遠隔制御用のコマンドを受信したり、他のプロジェクタに対して制御用のコマンドを送信したりすることができる。
【００２９】
ＲＯＭ２１５は、例えば半導体メモリ等で構成される不揮発性の記録媒体であり、プログラムデータ、ユーザ設定データ等を保存する内部メモリである。画像処理部２１６は、通信部２１４や後述するＵＳＢＩ／Ｆ２１７等の外部から入力される映像信号にフレーム数、画素数、画像形状・階調処理などの変更処理を施す、例えばＡＳＩＣやＧＰＵなどの画像処理用のプロセッサを含む。変更処理には、例えば液晶部２０４で表示するのに適したサイズになるように入力画像を拡大或いは縮小する処理や、入力画像に対する歪み補正等の画像補正処理等も含まれる。また、画像処理部２１６は、専用のプロセッサである必要はなく、例えば、ＲＯＭ２１５に格納されたプログラムによって、制御部２０１が画像処理部２１６と同様の処理を実行してもよい。また、画像処理部２１６は、外部から入力される映像信号以外にも、制御部２０１によって再生された画像や映像に対して前述の変更処理を施すこともできる。また画像処理部２１６は、後述する撮像部２２４により撮像した撮像画像を画像解析して、撮像された被撮像物を特定することもできる。
【００３０】
ＵＳＢＩ／Ｆ２１７は、外部装置から映像データ、画像データ、映像ファイル等の各種の情報データのファイルを受け取る、又は外部に書き出すためのＵＳＢインターフェースである。また、ＵＳＢＩ／Ｆ２１７は、ポインティングデバイスや、キーボード、ＵＳＢ型のフラッシュメモリ等も接続するために用いられてもよい。
【００３１】
タイマー２１８は、内部で時刻を計時し、プロジェクタ２００の動作時間や各ブロックの動作時間等を検出する。温度計２１９は、温度を計測するセンサを含み、プロジェクタ２００の光源２０６の温度や液晶部２０４の温度などを計測する。冷却部２２０は、例えば回転するファンやヒートシンク等を含み、プロジェクタ２００内部の熱を外部に放出するなどして、プロジェクタ２００を冷却するための部材である。
【００３２】
ファイル再生部２２１は、制御部２０１の指示に応じてエンコードされたファイルデータ等をデコードする。赤外線受信部２２２は、プロジェクタ２００付属のリモコンやその他の機器からの赤外線を受信し、受信した信号を電気信号として制御部２０１に通知する。
焦点検出部２２３は、例えば赤外線を用いて、プロジェクタ２００とスクリーンの距離を検出し、適切な焦点距離を検出する。撮像部２２４は、入射した被写体光学像を電気信号に変換する撮像素子を含み、例えばスクリーンの方向を撮像してスクリーン方向に対する撮影画像を出力する。
【００３３】
表示部２２８は、表示ランプや、液晶パネル等の表示パネルを含む。表示部２２８は、プロジェクタ２００本体に配置され、表示制御部２２９の指示に応じて、プロジェクタの状態や警告等を表示する。表示制御部２２９は、制御部２０１の指示に応じて表示部２２８を制御する。
【００３４】
バッテリ２３０は、例えば繰り返し充電の可能な二次電池を含み、プロジェクタ２００本体を持ち運んで使用する場合等、ＡＣ電源を使用しない場合に電源部２０３に電力を供給する。電源入力部２３１は、外部からの交流電力を受け入れて所定の電圧に整流し、整流した電流を電源部２０３に供給する。
【００３５】
ＲＡＭ２３２は、半導体メモリ等で構成される揮発性の記録媒体であり、制御部２０１がプログラムを実行する際にＲＯＭ２１５に格納されているプログラムを展開したり、実行中のプログラムの変数等を格納したりする。また、投影画像のフレームメモリ等としても使用される。
【００３６】
測光部２３３は、プロジェクタ２００の周辺環境光の明るさを測定する測光センサを含み、制御部２０１の指示に応じて又は所定の時間ごとに定期的に、周辺環境光の明るさを計測して測定結果を制御部２０１に通知する。
【００３７】
上述した構成により、プロジェクタ２００は、基本的な動作として例えば以下のような動作を行う。制御部２０１は、電源入力部２３１に対する電源の接続を検知すると、スタンバイモード（待機状態）に遷移するため、所定のブロックに電源を供給するように電源部２０３へ指示する。スタンバイモードでは、例えば、赤外線受信部２２２や通信部２１４が動作可能な状態となり、外部装置からの指示を受信可能になる。次に、操作部２０２を介してユーザから投影モードに遷移する指示を受け付けたことに応じて、制御部１０１は、投影動作に必要となる各ブロックへ電源を供給するよう電源部２０３に指示する。そして、各ブロックへ電源が供給されると、制御部２０１は、光源制御部２０８に光源２０６からの発光を開始するように指示する。投影モードでは、制御部２０１は、例えばＲＡＭ２３２に格納される画像や映像コンテンツを、所定の距離にあるスクリーン面に投影する。
【００３８】
次に、制御部２０１は、焦点検出部２２３により得られた焦点の情報等から、投影光学系２０７を調整するように光学系制御部２０９に指示する。光学系制御部２０９は、制御部２０１の指示に応じて、投影光学系２０７のズームレンズやフォーカスレンズを動作させ、スクリーン上に投影光が結像させる。制御部２０１は、焦点検出部２２３による焦点の情報等の取得と、当該焦点の情報等に応じた投影光学系２０７の制御とを繰り返してもよい。このようにして、投影の準備が整う。また、上述のように投影光学系２０７の内部には光拡散部を備えている。このため、制御部２０１は、操作部２０２を介してユーザから照明モードに遷移する指示を受け付けた場合、例えば光拡散部によっては白色光を拡散させ、照明光として投射可能である。
【００３９】
制御部２０１は、操作部２０２を介してユーザから電源ＯＦＦの指示を受け付けたことに応じて、各ブロックに終了処理を実行するよう指示する。そして、終了の準備が整うと、電源部２０３は待機時に動作させておくべき各ブロック以外への電源供給を順次終了しスタンバイモードへ遷移する。
【００４０】
ここで、図４に示す状態遷移図を参照して、本実施形態に係るプロジェクタ２００の各動作モードとその動作モード間の状態遷移について説明する。上述の通り、まず電源入力部２３１にＡＣ電源が入力されると、プロジェクタ２００はスタンバイモード４０１へ遷移する。次に、操作部２０２または通信部２１４を介して、ユーザから投影モードに遷移する指示（投影モードＯＮ）を受け付けると、プロジェクタ２００は投影モード４０２へ遷移する。また、スタンバイモード４０１においてユーザから照明モードへ遷移する指示（照明モードＯＮ）を受け付けると照明モード４０３へ遷移する。照明モードと投影モードとは相互にモードを遷移させることが可能であり、いずれもユーザ指示（投影モードＯＮ／照明モードＯＮ）に基づいて遷移させることができる。また、投影モード４０２または照明モード４０３においてユーザから電源をＯＦＦする指示（電源ＯＦＦ）を受け付けた場合、いずれのモードからもスタンバイモード４０１へ遷移する。この様に、プロジェクタ２００は、ユーザ操作に基づいてスタンバイモード４０１、投影モード４０２、照明モード４０３のいずれかに遷移することができる。プロジェクタ２００は、照明モードへ遷移する際には投影光学系２０７内部の光拡散部を制御し、光源２０６から出力される光を拡散状態にする。
【００４１】
（スマートフォンによる調光制御の操作）
次に、本実施形態に係るスマートフォンによる調光制御の操作について説明する。本実施形態に係る調光制御は、スマートフォン１００から、同一ネットワーク内に存在する複数のプロジェクタ２００に対し、一括して又は個別に調光制御を行う。なお、スマートフォン１００と各プロジェクタ２００との間の接続確立処理は完了しており、スマートフォン１００からプロジェクタ２００の動作モードの制御や調光制御を行なうことが可能な状態となっているものとする。なお、本調光制御では、スマートフォン１００から各プロジェクタ２００に対して一括した調光制御を行なうが、投影モードとして動作しているプロジェクタ２００はスマートフォン１００からの調光制御に応じないように動作する。
【００４２】
まず、図５を参照して、スマートフォン１００の表示部１０６に表示される、各プロジェクタの動作モードを変更するためのユーザインタフェース（ＵＩ）（モード変更メニュー）について説明する。図５において、欄５０１は、同一ネットワーク内に存在し、スマートフォン１００との間で接続が確立しているプロジェクタ２００のＩＤを表示する。アイコン５０２ａは、照明モードへ切り替えるための制御ボタンを表し、アイコン５０２ｂは投影モードへ切り替えるための制御ボタンを表す。また、プロジェクタ２００の動作モードが「照明」モードである場合、アイコン５０２ｂがグレーアウトされて表示される。一方、「投影」モードである場合、アイコン５０２ａがグレーアウトされて表示される。図５に示す例では、ＩＤが「１」のプロジェクタ２００は照明モード、ＩＤが「２」のプロジェクタ２００は照明モード、ＩＤが「３」のプロジェクタ２００は投影モードで動作していることを示している。ユーザが各アイコンをタッチ操作すると、対応するＩＤのプロジェクタ２００へタッチ操作したアイコンに応じた制御指示が送信される。図５に示すＵＩを操作することで各プロジェクタ２００を個別に投影モードまたは照明モードのいずれかに遷移するように制御することができる。本実施形態では、上述の通り、ＩＤ「１」のプロジェクタ２００ｃは照明モード、ＩＤ「２」のプロジェクタ２００ｂは照明モード、ＩＤ「３」のプロジェクタ２００ａは投影モードとして動作するよう制御が成されているものとする。
【００４３】
図６は、スマートフォン１００の表示部１０６に表示される、各プロジェクタ２００の調光制御を行うためのＵＩ（調光メニュー）を示している。欄６０１は、指定可能な制御対象となるプロジェクタ２００のＩＤを表示する。ＩＤが「１」〜「３」であるプロジェクタ２００を指定することで個々の装置を制御することができ、また「ＡＬＬ」を指定することで各プロジェクタ２００を一括して制御することができる。欄６０２は、調光率に対して指定可能な調整値を表示し、調整値の数値は、例えば光源から出力する光の量の割合（図６の例ではパーセンテージ表示）で表示される。ボタン６０３は、欄６０１で指定されたＩＤに対応するプロジェクタ２００に、欄６０２で指定された調光率に対する調整値を適用させるための設定ボタンである。該設定ボタンが押下されると、制御部１０１は、ユーザが指定したＩＤに対応するプロジェクタ２００に、指定された調整値（すなわち調光率）を設定した制御データを送信する。
【００４４】
図７に示す７００は、スマートフォン１００からプロジェクタ２００へ送信される制御データの構造を示している。制御データは、ヘッダーに、送信元ポート番号、宛先ポート番号、パケット長、チェックサムが格納され、ペイロードには、例えば７０１〜７０３のデータが格納される。７０１〜７０３には、それぞれ、制御対象となるプロジェクタ２００のＩＤ、プロジェクタ２００に対する制御内容、制御に関する調整値が格納される。
【００４５】
例えば、本実施形態に係る調光制御を行なう場合、調光制御に対応するデータが７０２へ格納され、図６の欄６０２に示した調整値が７０３へ格納される。例えば、この制御データは、ＵＤＰ（Ｕｓｅｒ  Ｄａｔａｇｒａｍ  Ｐｒｏｔｏｃｏｌ）通信に則って各プロジェクタ２００へ配信される。しかし、プロトコルはこれに限定されず、複数の装置へ同時にデータを配信することが可能であれば他の通信方法・プロトコルを用いても構わない。
【００４６】
（調光制御に係る一連の動作）
次に、図８を参照して、調光制御に係る一連の動作について説明する。図８（ａ）は、スマートフォン１００において図６に示したＵＩを使用する際の、調光制御に係る一連の動作を示している。この動作は、スマートフォン１００の制御部１０１がＲＯＭ１０４に格納されたプログラムをＲＡＭ１０３に展開、実行することにより動作する。また、この動作は、ユーザがスマートフォン１００の表示部１０６に表示された調光制御用のアプリケーションをタッチ操作によって起動し、図６に示したＵＩが表示されている状態で開始される。
【００４７】
Ｓ１０１にて、制御部１０１は、制御対象選択を受け付ける。例えば、ユーザがＵＩ内の欄６０１における制御対象に対してタッチすると、操作部１０５は制御部１０１に対する割り込みを発生させ、制御部１０１は、ユーザがタッチしたオブジェクト（ボタン）や座標に応じたハンドラーによる処理を実行する。ハンドラーによる処理において制御部１０１はタッチされたＩＤ情報をＲＡＭ１０３に格納する。
【００４８】
Ｓ１０２にて、制御部１０１は、ユーザによる調光率の指示を受け付ける。ユーザが図６に示した欄６０２の調整値に対しタッチ操作を行なうと、操作部１０５は制御部１０１に対する割り込みを発生させ、ユーザがタッチしたオブジェクト（ボタン）や座標に応じたハンドラーによる処理を実行する。このハンドラーによる処理において制御部１０１は、タッチされた調整値情報を調光率としてＲＡＭ１０３に格納する。
【００４９】
Ｓ１０３にて、制御部１０１は、調光指示コマンドをプロジェクタ２００へ送信する。ユーザが図６のボタン６０３の制御対象に対しタッチ操作を行なうと、操作部１０５は制御部１０１に対する割り込みを発生させ、ユーザがタッチしたオブジェクト（ボタン）や座標に応じたハンドラーによる処理を実行する。このハンドラーによる処理において、制御部１０１は、上述ＲＡＭ１０３へ書き出したＩＤと調整値を読み出して、図７に示した制御データを生成する。そして、選択されたＩＤに対応するプロジェクタ２００に、通信部１０２を介して制御データを送信する。例えば、図６に示した例において、欄６０１におけるＩＤとして「ＡＬＬ」を示す値が選択され、欄６０２における調光のための調整値として８０が指定されたものとする。この場合、制御部１０１は、ＩＤが「１」〜「３」であるプロジェクタ２００へ、８０％となる調整値を含んだ制御データ（調光指示コマンド）を送信する。制御部１０１は、調光指示コマンドの送信を完了すると、その後、一連の動作を終了する。
【００５０】
次に、図８（ｂ）を参照して、プロジェクタ２００における調光制御に係る一連の動作について説明する。この動作シーケンスは、プロジェクタ２００の制御部２０１がＲＯＭ２１５に格納されたプログラムをＲＡＭ２３２に展開、実行することにより動作する。また、この動作シーケンスは、ユーザがプロジェクタ２００を起動させて各ブロックへ電源が供給された状態で開始される。
【００５１】
Ｓ２０１にて、制御部２０１は、スマートフォン１００から調光指示コマンドの受信を待ち受け、その後スマートフォン１００から調光指示コマンドを受信したかを判定する。待ち受ける手段は特に限定されるものではなく、割り込みまたはポーリング等何れの手段でも構わない。制御部２０１は、（上述のＳ１０３にてスマートフォン１００から送信される）調光指示コマンドの受信を、通信部２１４を介して検出した場合、Ｓ２０２へ処理を進める。一方、所定の時間を経過しても調光指示コマンドの受信を検出しない場合、再びＳ２０１に戻る。
【００５２】
Ｓ２０２にて、制御部２０１は、調光指示コマンドのＩＤが「ＡＬＬ」を示すかを判定する。具体的には、制御部２０１は、受信した調光指示コマンドのデータをＲＡＭ２３２へ読み出し、当該コマンドのデータ内のＩＤが格納されている領域を参照する。格納されているＩＤが一括制御のための「ＡＬＬ」を示す場合、Ｓ２０３へ処理を進める。一方、ＩＤが「ＡＬＬ」を示すものでない場合、Ｓ２０６へ処理を進める。
【００５３】
Ｓ２０３にて、制御部２０１は、更に、自装置の現在の動作モードが照明モードであるかを判定する。例えば、制御部２０１は、動作モードを変更する際にＲＡＭ２３２へ書き出している、現在の動作モードを示す情報を参照して、自装置の現在の動作モードを判定する。制御部２０１は、自装置の動作モードが照明モードでないと判定した場合、（自装置は投影モードであるため）Ｓ２０４へ処理を進める。一方、制御部２０１は、自装置の現在の動作モードが照明モードであると判定した場合、Ｓ２０５へ処理を進める。
【００５４】
Ｓ２０４にて、制御部２０１は、現在の動作モードが投影モードであるため、調光動作を行わずに調光指示コマンドを破棄する。制御部２０１は、その後、本一連の動作を終了する。
【００５５】
一方、Ｓ２０５にて、制御部２０１は、読み出した調光のための調整値に基づいて、光源２０６の光量を制御する。なお、調光指示コマンドを受信した複数のプロジェクタ２００が、Ｓ２０５において調整値に基づく調光を行う場合、スマートフォン１００における１回の調光指示で複数のプロジェクタ２００の調光（すなわち一括した調光制御）を実現することになる。
【００５６】
Ｓ２０６にて、制御部２０１は、指定されたＩＤが自装置に対応するＩＤであるかを判定する。すなわち、制御部２０１は、ＲＡＭ２３２から自装置のＩＤ情報を読み出し、Ｓ２０１にて受信したデータに含まれるＩＤ情報と比較する。制御部２０１は、指定されたＩＤが自装置のＩＤと一致する場合、調光指示に応じるためにＳ２０５へ処理を進める。一方、指定されたＩＤが自装置のＩＤと一致しない場合、何も実行せずに本一連の動作を終了する。
【００５７】
以上説明したように、スマートフォン１００は、調光メニューＵＩにおいて、調光制御の対象となる複数のプロジェクタ２００を指定可能であり、複数のプロジェクタ２００に調光制御用の制御データを送信できるようにした。このとき、調光メニューＵＩでは、複数のプロジェクタを制御対象とするように、まとめて選択することができる。また、プロジェクタ２００は、スマートフォン１００からの一括調光制御の指示を受け付けたときに、自装置の動作モードに基づいて、調光指示コマンドに応じた調光を実行するか否かを制御し、投影モードで動作する場合には調光指示を実行しないようにした。このようにすることで、複数のプロジェクタを対象として調光する場合に、投影モードで動作しているプロジェクタ２００において不意に調光制御が実行されることを防ぐことができる。すなわち、照明機能を兼ね備える複数のプロジェクタを連動させて調光する場合に、投影機能の動作への影響を低減することができる。
【００５８】
（変形例１−１）
次に実施形態１の変形例（変形例１−１）について説明する。実施形態１では、プロジェクタ２００が調光指示コマンドを受けたときに、投影モードとして動作していれば調光指示コマンドを破棄するようにした。一方、変形例１−１では、プロジェクタ２００が投影モードで動作している場合、更に、映像コンテンツを投影しているか否かに応じて、調光指示を処理する。本変形例のスマートフォン１００及びプロジェクタ２００の構成は、実施形態１と実質的に同一である。このため、同一の構成については同一の符号を付して重複する説明は省略し、相違点について重点的に説明する。
【００５９】
（調光制御に係る一連の動作）
変形例１−１に係るスマートフォン１００の動作は、実質的に実施形態１と同様であるため、プロジェクタ２００の動作について説明する。図９は、本変形例に係るプロジェクタ２００における調光制御に係る一連の動作を示しており、開始時の状態は実施形態１において上述した調光制御に係る動作と同一である。
【００６０】
制御部２０１は、Ｓ２０１〜Ｓ２０２、Ｓ２０６を実施形態１と同様に実行し、スマートフォン１００において指定されたＩＤが「ＡＬＬ」を示すものでない場合の処理を実行する。Ｓ２０３においてプロジェクタ２００の動作モードが照明モードでないと判定した場合、制御部２０１は、Ｓ３０１にて、更に所定の映像コンテンツを投影中であるか否かを判定する。制御部２０１は、投影、非投影の状態遷移時やコンテンツ再生時等にＲＡＭ２３２へ書き出している状態情報を参照して、所定の映像コンテンツを投影しているか否かを判定する。所定の映像コンテンツは、例えば、スマートフォン１００等の外部装置から受信しながら投影されているコンテンツである。制御部２０１は、ＲＡＭ２３２にコンテンツの受信状態を書き出しておき、投影している映像コンテンツが受信されている、或いは、一定の期間前に受信していたか否かを判定する。制御部２０１はＲＡＭ２３２から投影状態を読み出して、外部装置から受信している、或いは、一定の期間前に受信していた映像コンテンツを投影中であると判定した場合、Ｓ２０４に処理を進める。一方、制御部２０１は、外部装置から受信しながら映像コンテンツを投影していない場合、Ｓ２０５に処理を進め、調光制御を行う。
【００６１】
また、制御部２０１は、所定の映像コンテンツが投影されているか否かを、所定の形式の映像コンテンツが投影されているか否かにより判定してもよい。所定の形式の映像コンテンツは、所定の映像フォーマットであるか、所定の映像ストリーミングプロトコルで配信されているか、所定の映像配信サービスから配信されている（又はされた）映像コンテンツであるか、を判定してもよい。また、複数の静止画像や短い動画像を切り替えながらＢＧＭと共に再生する動画であるか、所定のモバイル端末の画面をミラーリング表示するものであるか、等を判定してもよい。
【００６２】
一方、所定の映像コンテンツを投影中でないと判定した場合、Ｓ２０５に処理を進める。すなわち、制御部２０１は、所定の映像コンテンツの投影中に行う調光制御がコンテンツ鑑賞の妨げとなり得るため、所定の映像コンテンツの投影中には、調光指示コマンドを破棄する処理（すなわちＳ２０４）に進む。一方、制御部２０１は、所定の映像コンテンツを投影中でなければ投影コンテンツ鑑賞の妨げとなる可能性が低くなるため、スマートフォン１００からの調光指示に応じてＳ２０５に進む。
【００６３】
なお、上述の例では、制御部２０１が、Ｓ３０１にて所定の映像コンテンツを投影中であると判定した場合には、調光指示コマンドを破棄する例を説明した。しかし、例えば、制御部２０１は、調光指示と調光のための調整値とを、一旦ＲＡＭ２３２又はＲＯＭ２１５へ書き出しておき、再度照明モードへ遷移した際に、当該情報を読み出して調光制御に適用してもよい。
【００６４】
さらに、上述の例では、所定の映像コンテンツの投影状態に基づいて調光指示コマンドを実行したが、例えば映像コンテンツを配信する外部装置との接続状態に基づいて、調光指示を実行してもよい。プロジェクタ２００が、映像コンテンツを配信する所定の外部装置と接続していない場合、映像コンテンツを表示していない（すなわち鑑賞するユーザがいない）と見なし、調光指示に応じてもよい。例えば、制御部２０１は、通信部２１４を介して、映像コンテンツを配信する特定の外部装置との接続を確立可能であり、接続を確立した際に、ＲＡＭ２３２へ当該外部装置との接続確立を示す情報を書き出しておく。そして、調光指示を受け付けた際に、上述の情報をＲＡＭ２３２から読み出し、当該特定の外部装置と接続していなければ、調光指示に応じるようにしてもよい。また、制御部２０１は、ユーザ操作によりプロジェクタ２００の設定に関するメニューが表示されているか否かを判定してもよいし、または各種の設定のための操作が成されている状態であるか否かを判定してもよい。
【００６５】
このように、プロジェクタ２００がスマートフォン１００から調光指示コマンドを受信した場合、自装置の動作モード及び映像コンテンツの投影状態に応じて調光指示コマンドを実行するか否か判断するようにした。このようにすることで、映像コンテンツ投影中に不意に調光制御が実行されることを防止するとともに、動作モードが投影モードであっても映像コンテンツを視聴している可能性が低い場合には調光指示に応じることができる。
【００６６】
（変形例１−２）
次に実施形態１の更なる変形例（変形例１−２）について説明する。変形例１−１では、プロジェクタ２００の映像コンテンツの投影状態に応じて、調光指示コマンドを実行するか否か決定するようにした。一方、変形例１−２では、プロジェクタ２００が強制的に調光指示を実行するように設定されているか否かに応じて、調光指示コマンドを実行する否か決定する。本変形例のスマートフォン１００及びプロジェクタ２００の構成は、実施形態１と実質的に同一である。このため、同一の構成については同一の符号を付して重複する説明は省略し、相違点について重点的に説明する。
【００６７】
図１０は、プロジェクタ２００における一括調光制御に係る一連の動作を示している。なお、スマートフォン１００における動作は、実施形態１と同様である。プロジェクタ２００の制御部２０１は、Ｓ２０１〜２０２、Ｓ２０６を実施形態１と同様に実行し、スマートフォン１００において指定されたＩＤが「ＡＬＬ」を示すものでない場合の処理を実行する。
【００６８】
制御部２０１は、Ｓ２０２において指定されたＩＤが「ＡＬＬ」を示すと判定した場合、Ｓ４０１にて、プロジェクタ２００の設定が強制的に調光指示を実行する設定（連動設定ともいう）であるか否かを判定する。プロジェクタ２００に対する連動設定は、例えば、図１１に示すような、調光連動設定ＵＩによって予め設定される。例えば、ユーザは、調光連動設定ＵＩを表示させて、操作部２０２を介して「連動する」又は「連動しない」のいずれかに設定する。ユーザが「連動する」を選択して強制的な調光指示を有効にした場合、プロジェクタ２００は、強制的に調光指示を実行するように設定される。ユーザが「連動しない」を選択した場合、プロジェクタ２００は、強制的に調光指示を実行しないように設定される。制御部２０１は、操作部２０２を介して調光連動設定ＵＩに対するユーザ選択を受け付けると、設定情報をＲＡＭ２３２へ書き出す。
【００６９】
再び図１０におけるＳ４０１の説明に戻る。Ｓ４０１にて、制御部２０１は、連動設定についての設定値をＲＡＭ２３２から読み出し、読み出した設定値に基づいて、ユーザ設定が強制的に調光指示を実行する（連動する）設定であるかを判定する。制御部２０１は、ユーザ設定が強制的に調光指示を実行する設定であると判定した場合、Ｓ２０５へ処理を進め、そうでない場合には、Ｓ２０３へ処理を進める。
【００７０】
Ｓ２０５では、実施形態１と同様、制御部２０１は読み出した調光のための調整値に基づいて光源制御部２０８を介して光源２０６を制御し、その後、本一連の動作を終了する。すなわち、制御部２０１は、プロジェクタ２００の動作モードに関わらず、調光指示コマンドを実行する。一方、Ｓ２０３では、実施形態１と同様に自装置のモードを判定し、その後、プロジェクタ２００の動作モードに応じて調光指示コマンドを実行して本処理の一連の動作を終了する。
【００７１】
このように、プロジェクタ２００は、調光指示コマンドを強制的に実行するように予め設定されている場合、自装置の動作モードに関わらず、調光指示コマンドを実行するようにした。このようにすることで、ユーザが調光指示コマンドの優先的な実行を望む場合、プロジェクタ２００が照明モードで動作していても、調光指示コマンドの実行を優先することができる。
【００７２】
（変形例１−３）
上述の実施形態及び変形例では、プロジェクタ２００が、スマートフォン１００から送信される調光指示コマンドを、自装置の状態等に基づいて当該調光指示コマンドに応じるか否かを決定した。変形例１−３では、スマートフォン１００において、各プロジェクタ２００の状態に基づいて一括調光制御に連動させるプロジェクタを判別し、判別したプロジェクタに対して調光指示を行う。本変形例のスマートフォン１００及びプロジェクタ２００の構成は、実施形態１と実質的に同一である。このため、同一の構成については同一の符号を付して重複する説明は省略し、相違点について重点的に説明する。
【００７３】
図１２は、変形例１−３に係るスマートフォン１００及びプロジェクタ２００の一連の動作を示している。図１２（ａ）はスマートフォン１００に係る一連の動作を示しており、図１２（ｂ）はプロジェクタ２００に係る一連の動作を示している。
【００７４】
まず、スマートフォン１００は、実施形態１と同様に、Ｓ１０１〜Ｓ１０２を実行して、ユーザ操作による調光率を受け付け、ＲＡＭ１０３へ書き出す。
【００７５】
Ｓ５０３にて、制御部１０１は、接続を確立している各プロジェクタ２００に対し、プロジェクタの現在の動作モード情報を要求するコマンド（モード取得コマンド）を、通信部１０２を介して送信する。Ｓ５０４にて、モード取得コマンドを送信した各プロジェクタ２００から、動作モード情報を通知するコマンド（モード通知コマンド）を待ち受ける。制御部１０１は、通信部１０２を介して、全てのモード通知コマンドを受信したかを判定し、全てのモード通知コマンドを受信していないと判定した場合、Ｓ５０２に処理を戻してモード通知コマンドの待ち受けを継続する。全てのモード通知コマンドを受信したと判定した場合、Ｓ５０３へ処理を進める。
【００７６】
５０５にて、制御部１０１は各プロジェクタ２００から受信した動作モード情報を参照し、動作モードが照明モードであるプロジェクタのＩＤ情報をＲＡＭ１０３へ書き出す。動作モードが照明モードであるプロジェクタのみを選択するのは、投影モードとして動作しているプロジェクタ２００への調光指示を送信することを回避するためである。
【００７７】
Ｓ５０６にて、制御部１０１は、調光指示コマンドを、Ｓ５０５において記憶されたＩＤに対応するプロジェクタ２００に送信する。ユーザが図６に示すボタン６０３にタッチ操作を行なうと、制御部１０１に対し割り込みが発生しユーザがタッチしたオブジェクト（ボタン）や座標に応じたハンドラーによる処理を実行する。該ハンドラーによる処理においては、制御部１０１はＲＡＭ１０３へ書き出した照明モードとして動作しているプロジェクタ２００のＩＤと調整値を読み出して、制御データを生成し、通信部１０２を介して送信対象のプロジェクタ２００へ送信する。制御部１０１は、制御データを送信対象のプロジェクタへ送信すると、本一連の処理を終了する。
【００７８】
次に、図１２（ｂ）を参照して、プロジェクタ２００に係る一連の動作について説明する。図１２（ｂ）に示す一連の動作は、プロジェクタ２００が照明モードまたは投影モードで動作しており、スマートフォン１００からのモード取得コマンドを受信可能な状態から開始される。
【００７９】
Ｓ６０１にて、制御部２０１はスマートフォン１００から送信されるモード取得コマンドを受信したかを判定する。例えば、制御部２０１は、割り込みまたはポーリングにて、通信部２１４を介してモード取得コマンドを受信したことを検出すると、モード取得コマンドを受信したと判定してＳ６０２へ処理を進める。一方、モード取得コマンドを受信していないと判定した場合、再びＳ６０１に戻ってモード取得コマンドを待ち受ける。次に、Ｓ６０２にて、制御部２０１は、ＲＡＭ２３２に保持している自装置の動作モード情報を読み出し、読み出した動作モード情報を、通信部２１４を介してスマートフォン１００へ送信する。
【００８０】
Ｓ６０３にて、制御部２０１は、スマートフォン１００から送信される調光指示コマンドを受信したかを判定する。制御部２０１は、割り込みまたはポーリングにて、通信部２１４を介して調光指示コマンドを受信したことを検出すると、調光指示コマンドに関する情報を読み出しＲＡＭ２３２へ書き出す。一方、調光指示コマンドを受信していないと判定した場合、再びＳ６０３に戻って調光指示コマンドを待ち受ける。次に、Ｓ６０４にて、制御部２０１は、ＲＡＭ２３２に記憶される調光のための調整値に基づき、光源制御部２０８を介して光源２０６を制御する。制御部２０１は、光源２０６の発光を制御すると、その後、本一連の処理を終了する。なお、プロジェクタ２００が投影モードで動作する場合には、Ｓ６０３以降の処理を行わずに、一連の動作を終了しても良い。
【００８１】
このように、変形例１−３では、スマートフォン１００側において、予めプロジェクタの動作モード情報を取得し、照明モードで動作しているプロジェクタ２００のみに制御指示コマンドを送信するようにした。このようにすることで、プロジェクタ２００が投影モードで動作する際に、不意に調光制御が成されることを防ぐことが可能となる。
【００８２】
なお、変形例１−１に示した例と同様、更に、スマートフォン１００が映像コンテンツをプロジェクタ２００へ送信しているか否かの状態を加味し、映像コンテンツを送信している状態では、調光指示コマンドを送信しないようにしてもよい。さらに、変形例１−２に示した例のように、スマートフォン１００からプロジェクタ２００へ強制連動設定状態を問い合わせ、連動設定が設定されているプロジェクタには調光指示コマンドを送信するようにしてもよい。
【００８３】
（実施形態２）
次に実施形態２について説明する。実施形態１では、プロジェクタ２００が、スマートフォン１００から調光指示コマンドを受信したときに、自機の動作モードが投影モードである場合には調光指示コマンドを破棄するようにした。そして、照明モードで動作する他のプロジェクタは調光指示コマンドの調整値に応じて調光を行うようにした。
【００８４】
一方、複数のプロジェクタ２００に対して調光指示コマンドを送信した際に、投影モードのプロジェクタ２００ａの周囲にある、照明モードで動作するプロジェクタ２００ｂの調光を、プロジェクタ２００ａとの距離等に応じて適切に制御してもよい。本実施形態では、プロジェクタ２００ａが（調光指示を破棄して）投影モードで動作し、周囲の照明モードで動作するプロジェクタ２００ｂの照明の明るさを、プロジェクタの投影面とプロジェクタ２００ａとの位置関係に応じて調整する。
【００８５】
なお、本実施形態に係るスマートフォン１００及びプロジェクタ２００の構成は、実施形態１と実質的に同一である。このため、同一の構成については同一の符号を付して重複する説明は省略し、相違点について重点的に説明する。
【００８６】
（調光制御に係る一連の動作）
本実施形態に係るスマートフォン１００の動作は、実質的に実施形態１と同様であるが、スマートフォン１００は、調光率を特定の値に特定しない「自動」に設定し、各プロジェクタ（ＩＤは「ＡＬＬ」に対応する）に調光指示コマンドを送信するものとする。
【００８７】
図１３Ａを参照して、投影モードで動作するプロジェクタ２００ａにおける調光制御に係る一連の動作について説明する。なお、本一連の動作における開始時の状態は実施形態１において上述した調光制御に係る動作と同一である。
【００８８】
制御部２０１は、Ｓ２０１〜２０４、Ｓ２０５、Ｓ２０６の処理を実施形態１と同様に実行し、受信した調光指示コマンドに対する処理を実行する。Ｓ２０４では、プロジェクタ２００ａの動作モードが照明モードでない（すなわち投影モードである）ことに応じて、調光指示コマンドを破棄し、投影モードで動作する。
【００８９】
この場合、Ｓ７０１にて、制御部２０１は、他のプロジェクタ（すなわちプロジェクタ２００ｂ及びプロジェクタ２００ｃ）に対し、投影モードで動作することを示す通知（投影モード動作通知）を送信する。制御部２０１は、投影モードで動作することを示す不図示の制御データを生成して、通信部２１４を介してプロジェクタ２００ｂ及びプロジェクタ２００ｃに制御データを送信する。
【００９０】
次に、図１３Ｂを参照して、照明モードで動作するプロジェクタ２００ｂにおける調光制御に係る一連の動作について説明する。プロジェクタ２００ｂの動作は、ユーザが操作部２０２を介してプロジェクタ２００ｂの電源を入れることにより開始される。なお、以下の説明では、プロジェクタ２００ｂの動作について説明するが、プロジェクタ２００ｃについても同様である。
【００９１】
Ｓ７１１にて、制御部２０１は、光学系制御部２０９を介して投影光学系２０７の拡散部を制御し、照明モードでの投射を開始する。Ｓ７１２にて、制御部２０１は、通信部２１４を介してプロジェクタ２００ａから投影モード動作通知を受信する。
【００９２】
Ｓ７１３にて、制御部２０１は、プロジェクタ２００ｂとプロジェクタ２００ａの投影面との位置関係に関する情報を取得する。具体的には、ＲＡＭ２３２には、図１４に示すような、プロジェクタ２００ｂとネットワーク上の他の各プロジェクタの投影面との位置関係に応じた調光率が記憶されている。この調光率は、単位をパーセンテージとする数値データとして記憶されている。制御部２０１は、ＲＡＭ２３２から、プロジェクタ２００ｂとプロジェクタ２００ａの投影面との位置関係に応じた調光率Ｍｂａを読み出す。調光率Ｍｂａは、例えば、５０といったような数値データである。なお、ＲＡＭ２３２に記憶されているプロジェクタ２００ｂとネットワーク上の他の各プロジェクタの投影面との位置関係に応じた調光率は、操作部２０２を介してユーザが予め設定した位置関係をもとに、制御部２０１が計算し、ＲＡＭ２３２に記憶させる。具体的には、ユーザは、図１５に示すような、プロジェクタ２００ｂとネットワーク上の他の各プロジェクタの投影面との位置関係を設定するためのメニューを投影面上に表示して、当該位置関係を設定する。
【００９３】
なお、ユーザによる位置関係の設定方法は上記メニューによる設定に限定されない。例えば、スマートフォン１００において、アプリケーションを実行して、プロジェクタ２００ｂとネットワーク上の他の各プロジェクタの位置関係を設定してもよい。この場合、ユーザは、スマートフォン１００上で上記アプリケーションを起動した後、スマートフォン１００の画面上を指で操作することにより位置関係を設定する。この場合、図１６に示すように、アプリケーションには部屋のレイアウトが予め記憶されており、プロジェクタやプロジェクタの投影面の位置をスマートフォン１００の画面上で設定することにより、位置関係をユーザが設定可能である。なお、ユーザがスマートフォン１００上で設定した位置関係は数値データ（距離データ）として、通信部２１４を介して、制御部２０１に通知される。制御部２０１は、通知された位置関係、具体的には距離データをもとに調光率を算出する。具体的には、図１７に示すように、距離データの範囲ごとの調光率を予め決めておき、制御部２０１は、通知された距離データがどの範囲に位置するかを特定し、特定した範囲に設定されている調光率をＲＡＭ２３２に記憶させる。なお、Ｄ１、Ｄ２、Ｄ３は、例えば、２、４、６といった数値データである。なお、制御部２０１が調光率を計算する方法は、上記に限らず、例えば、距離データごとに一意に調光率が決められており、制御部２０１は、距離データから一意に調光率を算出してもよい。
【００９４】
Ｓ７１４では、制御部２０１は、光源制御部２０８を介して、照明の明るさをＳ７１３で読み出した調光率Ｍｂａを用いて変更する。制御部２０１は、照明の明るさを変更すると、本一連の動作を終了する。
【００９５】
次に、図１８を参照して、プロジェクタ２００が、複数台のプロジェクタから投影モード動作通知を受信する場合の動作について説明する。なお、図１３Ｂにおける説明との相違点について重点的に説明する。なお、プロジェクタ２００ｂ及びプロジェクタ２００ｃの動作は、図１３Ｂと同様、ユーザが操作部２０２を介してプロジェクタ２００ｂの電源を入れることにより開始される。
【００９６】
まず、プロジェクタ２００ｂの動作について説明する。プロジェクタ２００ｂは、Ｓ７１１〜Ｓ７１３の処理を行う。すなわち、制御部２０１は、照明モードでプロジェクタ２００ｂを起動し、プロジェクタ２００ａから投影モード動作通知を受信する。そして、プロジェクタ２００ｂと、対象プロジェクタであるプロジェクタ２００ａの投影面との位置関係に関する情報を取得して、プロジェクタ２００ｂが適用する調光率を算出する。
【００９７】
Ｓ８０１にて、制御部２０１は、投影開始後、プロジェクタ２００ａから投影モード動作通知を受信して、照明の明るさの変更を実施しているかどうかを判定する。例えば、制御部２０１は、投影モード動作通知を受信して、照明の明るさの変更を実施した場合にＲＡＭ２３２に変更を実施したことを示すフラグを立てておく。制御部２０１は、ＲＡＭ２３２の上記フラグを確認することにより、投影モード動作通知を受信して、照明の明るさの変更を実施したかを判定することができる。制御部２０１は、照明の明るさを変更済みである場合はＳ８０２へ処理を進め、照明の明るさを変更済みでない場合はＳ７１４へ処理を進める。
【００９８】
Ｓ８０２にて、制御部２０１は、プロジェクタ２００ｂと対象プロジェクタ（プロジェクタ２００ａ）の投影面との位置関係が、プロジェクタ２００ｂと最後に照明の明るさを変更したプロジェクタの投影面との位置関係よりも近いかどうかを判定する。具体的には、制御部２０１は、Ｓ７１３で取得したプロジェクタ２００ｂとプロジェクタ２００ａの投影面との位置関係の距離データと、プロジェクタ２００ｂと最後に照明の明るさの変更を実施したプロジェクタの投影面との位置関係の距離データを比較する。制御部２０１は、比較の結果、Ｓ７１３で取得したプロジェクタ２００ｂとプロジェクタ２００ａの投影面との距離データの方が小さい場合、Ｓ７１４へ処理を進め、そうでない場合は８０３に処理を進める。Ｓ７１４では、制御部２０１は、算出した調光率に基づき、照明の明るさを変更する。
【００９９】
その後、Ｓ８０３にて、制御部２０１は、ユーザからの操作部２０２を介して、或いは、スマートフォン１００によって通信部２１４を介して、照明モードから投影モードへの変更指示の制御データを受信したものとする。
【０１００】
Ｓ８０４にて、制御部２０１は、光学系制御部２０９を介して投影光学系２０７により投影モードでの投影から照明モードでの投影に切り替える。更に、Ｓ８０５にて、制御部２０１は、ネットワーク上の照明モードで投影している他のプロジェクタ（例えばプロジェクタ２００ｃ）に、通信部２１４を介して投影モード動作通知を送信する。すなわち、制御部２０１は、他のプロジェクタに、プロジェクタ２００ｂが照明モードから投影モードにモード変更したことを通知する。制御部２０１は、投影モード動作通知を送信すると、その後、本一連の動作を終了する。
【０１０１】
次に、プロジェクタ２００ｃの動作について説明する。プロジェクタ２００ｃでは、上述のプロジェクタ２００ｂの動作と同様に、投影モード動作通知の受信１回目の動作（Ｓ７１１〜Ｓ７１４）を実行する。
【０１０２】
そして、プロジェクタ２００ｃの制御部２０１は、プロジェクタ２００ｃにおける投影モード動作通知の受信２回目の動作を更に実行する。制御部２０１は、Ｓ７１２において、投影モード動作通知を受信する。この場合、制御部２０１は、プロジェクタ２００ｂから送信された投影モード動作通知を受信する。制御部２０１は、プロジェクタ２００ｂからの投影モード動作通知に対し、プロジェクタ２００ａに対して実行した上述のＳ７１３、Ｓ８０１、Ｓ８０２、Ｓ７１４の処理を実行する。すなわち、プロジェクタ２００ｃと対象プロジェクタ（プロジェクタ２００ｂ）の投影面との位置関係が、プロジェクタ２００ｃと最後に照明の明るさを変更したプロジェクタの投影面との位置関係よりも近いかを判定し、近い場合に照明の明るさをより暗くする。制御部２０１は、Ｓ８０２又はＳ７１４の処理を行うと、本一連の動作を終了する。
【０１０３】
以上説明したように本実施形態では、投影モード動作通知を受けた第１のプロジェクタが、投影モードで動作するプロジェクタの投影面と第１のプロジェクタとの位置関係に応じて、第１のプロジェクタの照明の明るさを調整するようにした。このようにすることで、照明の調光制御を行う際に、周りのプロジェクタの照明の明るさを、プロジェクタの投影による視聴に適切な明るさに調整することができる。
【０１０４】
（変形例２−１）
変形例２−１では、投影モードで動作するプロジェクタが、自機プロジェクタの投影面と周囲のプロジェクタとの位置関係に応じて、周囲のプロジェクタの照明の明るさを調整する例について説明する。なお、変形例２−１に係るプロジェクタの構成や調光制御の動作は、実施形態２における構成や調光制御の動作と実質的に同一であるため、同一の符号を用いて説明を省略し、相違点について重点的に説明する。
【０１０５】
まず、図１９Ａを参照して、この変形例に係るプロジェクタ２００ａの一連の動作について説明する。なお、本変形例においても、プロジェクタ２００ａは投影モードで動作し、プロジェクタ２００ｂ及びプロジェクタ２００ｃはプロジェクタ２００ａの周囲にあるプロジェクタとして照明モードで動作する。
【０１０６】
プロジェクタ２００ａの制御部２０１は、Ｓ２０１〜Ｓ２０６の処理を上述の実施形態と同様に実行する。Ｓ２０４では、制御部２０１は、調光制御コマンドを破棄して、投影モードで動作する。そして、Ｓ９０１にて、制御部２０１は、周囲のプロジェクタ（プロジェクタ２００ｂ及びプロジェクタ２００ｃ）とプロジェクタ２００ａの投影面との位置関係に関する情報を取得し、位置関係に基づいた調光率を算出する。例えば、ＲＡＭ２３２には、図２０に示す、プロジェクタ２００ａの投影面とネットワーク上の他の各プロジェクタとの位置関係に応じた調光率が記憶されている。調光率は、単位はパーセンテージであり、例えば５０などの数値データとして記憶されている。制御部２０１は、ＲＡＭ２３２から対象プロジェクタとプロジェクタ２００ａの投影面との位置関係に応じた調光率Ｍｂａ、Ｍｃａを読み出す。なお、プロジェクタ２００ａの投影面と他の各プロジェクタとの位置関係に応じた調光率は、操作部２０２を介してユーザにより設定された位置関係をもとに、制御部２０１が事前に計算し、ＲＡＭ２３２に記憶させる。
【０１０７】
例えば、プロジェクタ２００ａが、図２１に示すプロジェクタ２００ａの投影面とネットワーク上の他の各プロジェクタとの位置関係を設定するためのメニューを投影面上に表示し、ユーザは操作部２０２を介して入力項目である距離等を設定する。なお、ユーザによる位置関係の設定方法は上記メニュー経由による設定に限定されない。例えば、プロジェクタ２００ａとネットワーク上の他の各プロジェクタの位置関係を設定可能なアプリケーションがスマートフォン１００にインストールされている場合、当該アプリケーションを用いて設定してもよい。この場合、ユーザは、スマートフォン１００上でアプリケーションを起動した後、画面上を指で操作等することによりプロジェクタの位置関係を設定する。この場合、図１６に示したように、アプリケーションには部屋のレイアウトが予め記憶されており、プロジェクタやプロジェクタの投影面の位置をスマートフォン１００の画面上で動かして設定することができる。なお、ユーザがスマートフォン１００で設定した位置関係は、数値データ（距離データ）として、通信部２１４を介して、プロジェクタ２００ａの制御部２０１に通知される。制御部２０１は、通知された位置関係（具体的には距離データ）に基づいて調光率を計算する。制御部２０１は、例えば、図１１に示した、距離データの範囲ごとに割り当てられた調光率を参照して、通知された距離データの属する範囲に対応する調光率を決定する。制御部２０１は、決定した調光率をＲＡＭ２３２に記憶させる。もちろん、調光率を計算する方法は上記方法に限定されず、例えば、距離データごとに一意に調光率を定めておくようにしてもよい。
【０１０８】
Ｓ９０２にて、制御部２０１は、算出した調光率を含む照明の明るさ変更依頼を、照明モードで動作するネットワーク上の周囲のプロジェクタ（例えばプロジェクタ２００ｂとプロジェクタ２００ｃ）へ、通信部２１４を介して送信する。なお、プロジェクタ２００ａは、上述の方法により、プロジェクタ２００ｂとプロジェクタ２００ｃにそれぞれ別個の調光率を算出しているため、それぞれのプロジェクタに異なる調光率を含む照明の明るさ変更依頼を送信する。
【０１０９】
次に、図１９Ｂを参照して、プロジェクタ２００ａの周囲のプロジェクタ（プロジェクタ２００ｂ及びプロジェクタ２００ｃ）の動作について説明する。まず、プロジェクタ２００ｂの制御部２０１は、上述した実施形態２のＳ７１１と同様に、照明モードで投影を行う。次に、Ｓ９１１にて、制御部２０１は、プロジェクタ２００ａからＳ９０２で送信された、調光率を含む照明の明るさ変更依頼を、通信部２１４を介して受信する。
【０１１０】
Ｓ９１２にて、制御部２０１は、照明の明るさ変更依頼からプロジェクタ２００ｂのための調光率を示すデータを抽出し、光源制御部２０８を介して、光源２０６が当該調光率となるように、照明の明るさを変更する。
【０１１１】
また、プロジェクタ２００ｃでは、プロジェクタ２００ｂと同様に動作する。すなわち、照明の明るさ変更依頼からプロジェクタ２００ｃのための調光率を示すデータを抽出し、光源制御部２０８を介して、光源２０６が当該調光率となるように、照明の明るさを変更する。
【０１１２】
以上説明したように変形例２−１では、投影モードで動作する第１のプロジェクタが、周囲のプロジェクタとの位置関係に応じて、周囲のプロジェクタの照明の明るさを調整するようにした。このようにすることで、照明の調光制御を行う際の周りのプロジェクタは、調光率を算出する演算が不要となるため、システム全体としてより軽量な演算で適切な明るさの調整を実現することが可能になる。
【０１１３】
（変形例２−２）
上述の実施形態では、投影モードで動作するプロジェクタ２００ａの投影面と周囲のプロジェクタとの位置関係を、図１５、図１６に示すＵＩに対するユーザ操作に基づいて設定する例を説明した。しかし、投影モードで動作するプロジェクタ２００ａの投影面と周囲のプロジェクタとの位置関係を、撮像手段により取得したデータに基づいて取得してもよい。
【０１１４】
例えば、上述したＳ７１３の処理を以下のように変更してもよい。具体的には、Ｓ７１３にて、プロジェクタ２００ｂの制御部２０１は、撮像部２２４を介して、プロジェクタ２００ｂの周辺を撮像する。そして、撮像した画像を画像処理部２１６に画像解析させて、プロジェクタ２００ａの投影面（例えば四隅の位置や中心の位置等）を特定する。
【０１１５】
その後、制御部２０１は、特定したプロジェクタ２００ａの投影面における所定の位置を、撮像部２２４を介して測距する。このようにして、制御部２０１は、プロジェクタ２００ｂとプロジェクタ２００ａの投影面との距離を算出する。算出した距離から調光率を、求める手順は、上述した実施形態２と同様に行えばよい。プロジェクタ２００ｃの制御部２０１も、同様に、撮像した画像に基づいて、プロジェクタ２００ｃとプロジェクタ２００ａの投影面との距離を算出し、プロジェクタ２００ｃに対する調光率を求めることができる。
【０１１６】
また、上述の変形例２−１では、投影モードで動作するプロジェクタ２００ａの投影面と周囲のプロジェクタとの位置関係を、プロジェクタ２００ａにおいて設定する例を説明した。しかし、投影モードで動作するプロジェクタ２００ａの投影面と周囲のプロジェクタとの位置関係を、プロジェクタ２００ａの撮像手段により取得したデータに基づいて取得してもよい。
【０１１７】
例えば、上述のＳ９０１にて、プロジェクタ２００ａの制御部２０１は、撮像部２２４を介して、プロジェクタ２００ａの周辺を撮像する。そして、撮像した画像を画像処理部２１６で画像解析することにより、プロジェクタ２００ａの投影面（例えば四隅の位置や中心の位置等）と、プロジェクタ２００ｂ及びプロジェクタ２００ｃの位置とを特定する。その後、制御部２０１は、特定したプロジェクタ２００ａの投影面における所定の位置と、プロジェクタ２００ｂ及びプロジェクタ２００ｃの位置とに対し、撮像部２２４を介して測距する。このようにして、プロジェクタ２００ｂとプロジェクタ２００ａの投影面との距離、及び、プロジェクタ２００ｃとプロジェクタ２００ａの投影面との距離を算出する。算出した各距離から各調光率を計算する手順は、上述した実施形態２と同様に行えばよい。
【０１１８】
このようにすれば、投影モードで動作するプロジェクタの投影面と周りのプロジェクタの位置関係とを、ユーザの入力なしに取得することができ、プロジェクタの調光に対する設定をより簡易かつ容易にすることが可能になる。
【０１１９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２０】
１０１…制御部、１０２…通信部、１０５…操作部、１０６…表示部、２０１…制御部、２０６…光源、２０７…投影光学系、２０９…光学系制御部、２１４…通信部
【図１】
2019124872.tif 000003
【図２】
2019124872.tif 000004
【図３】
2019124872.tif 000005
【図４】
2019124872.tif 000006
【図５】
2019124872.tif 000007
【図６】
2019124872.tif 000008
【図７】
2019124872.tif 000009
【図８】
2019124872.tif 000010
【図９】
2019124872.tif 000011
【図１０】
2019124872.tif 000012
【図１１】
2019124872.tif 000013
【図１２】
2019124872.tif 000014
【図１３Ａ】
2019124872.tif 000015
【図１３Ｂ】
2019124872.tif 000016
【図１４】
2019124872.tif 000017
【図１５】
2019124872.tif 000018
【図１６】
2019124872.tif 000019
【図１７】
2019124872.tif 000020
【図１８】
2019124872.tif 000021
【図１９Ａ】
2019124872.tif 000022
【図１９Ｂ】
2019124872.tif 000023
【図２０】
2019124872.tif 000024
【図２１】
2019124872.tif 000025